(57)【要約】【課題】  本発明は、ＦＭ受信器への入力信号の許容周波数帯域がいずれの場合であっても、ＦＭ受信器の特性を測定することが可能なＦＭ受信器測定システム及びＦＭ受信器測定方法を提供することを目的とする。【解決手段】  ＦＭ変調された電気信号が入力され、電気信号をＦＭ復調して出力する被測定ＦＭ受信器１５の特性を測定するＦＭ受信器測定システムであって、一定周波数の電気信号５０を発振して出力する第１発振器１１と、第１発振器が出力する電気信号５１の周波数と異なる一定周波数の電気信号５１を発振して出力する第２発振器１２と、第１発振器から出力される電気信号と第２発振器から出力される電気信号とを少なくとも１回ずつ選択して被測定ＦＭ受信器に向けて出力する信号出力手段３０と、被測定ＦＭ受信器から出力される電気信号の振幅又は遅延量を測定する波形測定器１６と、を有することを特徴とする。【選択図】図１
2005260617.tif 000002
【特許請求の範囲】
【請求項１】
ＦＭ変調された電気信号が入力され、該電気信号をＦＭ復調して出力する被測定ＦＭ受信器の特性を測定するＦＭ受信器測定システムであって、
一定周波数の電気信号を発振して出力する第１発振器と、
前記第１発振器が出力する電気信号の周波数と異なる一定周波数の電気信号を発振して出力する第２発振器と、
前記第１発振器から出力される電気信号と前記第２発振器から出力される電気信号とを少なくとも１回ずつ選択して前記被測定ＦＭ受信器に向けて出力する信号出力手段と、
前記被測定ＦＭ受信器から出力される電気信号の振幅又は遅延量を測定する波形測定器と、
を有することを特徴とするＦＭ受信器測定システム。
【請求項２】
前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号と前記第２発振器から出力される電気信号とを前記第３発振器から出力される電気信号に同期して切替え、前記被測定ＦＭ受信器に向けて出力する切替器と、を備えることを特徴とする請求項１に記載のＦＭ受信器測定システム。
【請求項３】
前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号を遮断又は通過させる第１電気スイッチと、前記第２発振器から出力される電気信号を遮断又は通過させる第２電気スイッチと、第１電気スイッチ及び第２電気スイッチを通過した電気信号を合波して前記被測定ＦＭ受信器に向けて出力する合波器と、を備え、且つ前記第３発振器が出力する電気信号に同期して前記第１電気スイッチと前記第２電気スイッチとのいずれか一方に電気信号を遮断させ且つ他方に電気信号を通過させることを特徴とする請求項１に記載のＦＭ受信器測定システム。
【請求項４】
ＦＭ信号で強度変調された光信号が入力され、該光信号を電気信号に変換しＦＭ復調して出力する被測定ＦＭ光受信器の特性を測定するＦＭ光受信器測定システムであって、
一定周波数の電気信号を発振して出力する第１発振器と、
前記第１発振器が出力する電気信号の周波数と異なる一定周波数の電気信号を発振して出力する第２発振器と、
前記第１発振器から出力される電気信号と前記第２発振器から出力される電気信号とを少なくとも１回ずつ選択して出力する信号出力手段と、
前記信号出力手段から出力される電気信号を光信号に変換して前記被測定ＦＭ光受信器に向けて出力する電気光信号変換器と、  
前記被測定ＦＭ光受信器から出力される電気信号の振幅又は遅延量を測定する波形測定器と、
を有することを特徴とするＦＭ光受信器測定システム。
【請求項５】
前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号と前記第２発振器から出力される電気信号とを前記第３発振器から出力される電気信号に同期して切替え、前記電気光信号変換器に向けて出力する切替器と、を備えることを特徴とする請求項４に記載のＦＭ光受信器測定システム。
【請求項６】
前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号を遮断又は通過させる第１電気スイッチと、前記第２発振器から出力される電気信号を遮断又は通過させる第２電気スイッチと、第１電気スイッチ及び第２電気スイッチを通過した電気信号を合波して前記電気光信号変換器に向けて出力する合波器と、を備え、且つ前記第３発振器が出力する電気信号に同期して前記第１電気スイッチと前記第２電気スイッチとのいずれか一方に電気信号を遮断させ且つ他方に電気信号を通過させることを特徴とする請求項４に記載のＦＭ光受信器測定システム。
【請求項７】
ＦＭ信号で強度変調された光信号が入力され、該光信号を電気信号に変換しＦＭ復調して出力する被測定ＦＭ光受信器の特性を測定するＦＭ光受信器測定システムであって、
一定周波数の電気信号を発振して出力する第１発振器と、
前記第１発振器が出力する電気信号の周波数と異なる一定周波数の電気信号を発振して出力する第２発振器と、
前記第１発振器から出力される電気信号を光信号に変換して出力する第１電気光信号変換器と、
前記第２発振器から出力される電気信号を光信号に変換して出力する第２電気光信号変換器と、
前記第１電気光信号変換器又は前記第２電気光信号変換器のいずれか一方を少なくとも１回ずつ選択して動作させる信号変換選択手段と、
前記第１電気光信号変換器及び前記第２電気光信号変換器から出力される光信号を合波して前記被測定ＦＭ光受信器に向けて出力する光合波器と、
前記被測定ＦＭ光受信器から出力される電気信号の振幅又は遅延量を測定する波形測定器と、
を有することを特徴とするＦＭ光受信器測定システム。
【請求項８】
前記信号変換選択手段は、前記第１発振器が発振する電気信号の一定周波数及び前記第２発振器が発振する電気信号の一定周波数よりも低い周波数の電気信号を発振して出力する第３発振器と、前記第３発振器が出力する電気信号を正相と逆相のパルスに変換して一方を前記第１電気光信号変換器に向けて出力し、他方を前記第２電気光信号変換器に向けて出力する切替回路と、を備え、前記第１電気光信号変換器及び前記第２電気光信号変換器は、前記切替回路から出力されるパルスが一定値以上のときに動作し、一定値未満のときに停止することを特徴とする請求項７に記載のＦＭ光受信器測定システム。
【請求項９】
ＦＭ信号で強度変調された光信号が入力され、該光信号を電気信号に変換しＦＭ復調して出力する被測定ＦＭ光受信器の特性を測定するＦＭ光受信器測定システムであって、
一定周波数の電気信号を発振して出力する第１発振器と、
前記第１発振器が出力する電気信号の周波数と異なる一定周波数の電気信号を発振して出力する第２発振器と、
前記第１発振器から出力される電気信号を光信号に変換して出力する第１電気光信号変換器と、
前記第２発振器から出力される電気信号を光信号に変換して出力する第２電気光信号変換器と、
前記第１電気光信号変換器から出力される光信号と前記第２電気光信号変換器から出力される光信号とを少なくとも１回ずつ選択して前記被測定ＦＭ光受信器に向けて出力する光信号出力手段と、
前記被測定ＦＭ光受信器から出力される電気信号の振幅又は遅延量を測定する波形測定器と、
を有することを特徴とするＦＭ光受信器測定システム。
【請求項１０】
前記光信号出力手段は、前記第１発振器が発振する電気信号の一定周波数及び前記第２発振器が発振する電気信号の一定周波数よりも低い周波数の電気信号を発振して出力する第３発振器と、前記第１電気光信号変換器から出力される光信号と前記第２電気光信号変換器から出力される光信号とを前記第３発振器から出力される電気信号に同期して切替え、前記被測定ＦＭ光受信器に向けて出力する光切替器と、を備えることを特徴とする請求項９に記載のＦＭ光受信器測定システム。
【請求項１１】
前記光信号出力手段は、前記第１発振器が発振する電気信号の一定周波数及び前記第２発振器が発振する電気信号の一定周波数よりも低い周波数の電気信号を発振して出力する第３発振器と、前記第１電気光信号変換器から出力される光信号を遮断又は通過させる第１光スイッチと、前記第２電気光信号変換器から出力される光信号を遮断又は通過させる第２光スイッチと、前記第１光スイッチ及び前記第２光スイッチを通過した光信号を合波して前記被測定ＦＭ光受信器に向けて出力する光合波器と、を備え、且つ前記第３発振器が出力する電気信号に同期して前記第１光スイッチと前記第２光スイッチとのいずれか一方に光信号を遮断させ且つ他方に光信号を通過させることを特徴とする請求項９に記載のＦＭ光受信器測定システム。
【請求項１２】
ＦＭ変調された電気信号が入力され、該電気信号をＦＭ復調して出力する被測定ＦＭ受信器の特性を測定するＦＭ受信器測定方法であって、
一定の差周波数を維持して発振周波数を掃引した第１発振器の電気信号及び第２発振器の電気信号を出力するステップと、
前記第１発振器から出力される電気信号及び前記第２発振器から出力される電気信号のうちいずれか一方を少なくとも１回ずつ選択して前記被測定ＦＭ受信器に向けて出力するステップと、
前記第１発振器から出力される電気信号及び前記第２発振器から出力される電気信号の選択に合わせて前記被測定ＦＭ受信器から出力される電気信号の振幅又は遅延量を測定するステップと、
を有することを特徴とするＦＭ受信器測定方法。
【請求項１３】
ＦＭ信号で強度変調された光信号が入力され、該光信号を電気信号に変換しＦＭ復調して出力する被測定ＦＭ光受信器の特性を測定するＦＭ光受信器測定方法であって、
一定の差周波数を維持して発振周波数を掃引した第１発振器の電気信号及び第２発振器の電気信号を出力するステップと、
前記第１発振器から出力される電気信号及び前記第２発振器から出力される電気信号のうちいずれか一方を少なくとも１回ずつ選択するステップと、
選択した電気信号を光信号に変換して前記被測定ＦＭ光受信器に向けて出力するステップと、
前記第１発振器から出力された電気信号及び前記第２発振器から出力された電気信号の選択に合わせて前記被測定ＦＭ光受信器から出力される電気信号の振幅又は遅延量を測定するステップと、
を有することを特徴とするＦＭ光受信器測定方法。
【請求項１４】
ＦＭ信号で強度変調された光信号が入力され、該光信号を電気信号に変換しＦＭ復調して出力する被測定ＦＭ光受信器の特性を測定するＦＭ光受信器測定方法であって、
一定の差周波数を維持して発振周波数を掃引した第１発振器の電気信号及び第２発振器の電気信号を出力するステップと、
前記第１発振器から出力される電気信号を光信号に変換する第１電気光信号変換器又は前記第２発振器から出力される電気信号を光信号に変換する第２電気光信号変換器の動作を少なくとも１回ずつ選択するステップと、
第１電気光信号変換器及び第２電気光信号変換器のうち選択された方から出力された光信号を前記被測定ＦＭ光受信器に向けて出力するステップと、
第１電気光信号変換器及び第２電気光信号変換器の動作の選択に合わせて前記被測定ＦＭ光受信器から出力される電気信号の振幅又は遅延量を測定するステップと、
を有することを特徴とするＦＭ光受信器測定方法。
【請求項１５】
ＦＭ信号で強度変調された光信号が入力され、該光信号を電気信号に変換しＦＭ復調して出力する被測定ＦＭ光受信器の特性を測定するＦＭ光受信器測定方法であって、
一定の差周波数を維持して発振周波数を掃引した第１発振器の電気信号及び第２発振器の電気信号を出力するステップと、
前記第１発振器及び前記第２発振器から出力された電気信号をそれぞれ光信号に変換するステップと、
変換された光信号のいずれか一方を少なくとも１回ずつ選択して前記被測定ＦＭ光受信器に向けて出力するステップと、
前記第１発振器及び前記第２発振器から出力された電気信号を変換した後の２つの光信号の選択に合わせて前記被測定ＦＭ光受信器から出力される電気信号の振幅又は遅延量を測定するステップと、
を有することを特徴とするＦＭ光受信器測定方法。
【発明の詳細な説明】
【技術分野】
【０００１】
本発明は、ＦＭ変調された電気信号をＦＭ復調する際のＦＭ受信器が有する特性を測定するためのＦＭ受信器測定システム及びＦＭ受信器測定方法に関する。
【背景技術】
【０００２】
ＦＭ信号の伝送路において伝送信号の質を劣化させる要因に、ＦＭ送信器及びＦＭ受信器の非直線ひずみ及び伝送路の群遅延時間による遅延ひずみがある。非直線ひずみとは、例えば一定周波数の信号を振幅を変えながらＦＭ送信器によってＦＭ変調したときに、出力信号の周波数が振幅に対して線形に変化せずに非線形となる現象をいう。また、遅延ひずみとは、例えば一定周波数の信号を振幅を変えながらＦＭ送信器によってＦＭ変調したときに、出力信号の位相が振幅に対して一定とならずに変化する現象をいう。これらのひずみを有するＦＭ送信器による変調後の信号を復調すると、変調前の信号とは異なる信号となってしまう。ＦＭ受信器にも復調する際の非直線ひずみ及び遅延ひずみは存在する。ＦＭ送信器及びＦＭ受信器の非直線ひずみ及び遅延ひずみを測定する方法は、従来から提案されている（例えば、非特許文献１参照。）。
【０００３】
ここで、非特許文献１に記載されている非直線ひずみ及び遅延ひずみを測定する従来の方法について説明する。図１７、図１８に、ＦＭ受信器の非直線ひずみ及び遅延ひずみを測定する従来の測定システムの概略構成図を示す。図１７は、非直線ひずみを測定する従来の測定システムの概略構成図である。図１８は、遅延ひずみを測定する従来の測定システムの概略構成図である。図１７に示す従来のＦＭ受信器測定システム２００は、変調信号用発振器１０１、１０２と、変調信号用発振器１０１から出力された変調信号３０１をＦＭ変調するＦＭ送信器１０３と、変調信号用発振器１０２から出力された挿引信号３０２をＦＭ変調するＦＭ送信器１０４と、ＦＭ送信器１０３及びＦＭ送信器１０４から出力された変調信号３０３と挿引信号３０４とを混合して電気信号３０５として出力する混合器１０５と、ＦＭ送信器１０３から出力される電気信号３０３とＦＭ送信器１０４から出力される電気信号３０４との重畳波の和周波数成分又は差周波数成分のみを電気信号３０５から選択して電気信号３０６として出力する帯域濾波器１０６と、帯域濾波器１０６から出力された電気信号３０６が入力される被測定ＦＭ受信器１０７と、被測定ＦＭ受信器１０７によってＦＭ復調された電気信号のうち、変調信号成分を抜き出す帯域濾波器１０８と、被測定ＦＭ受信器１０７によってＦＭ復調された電気信号のうち挿引信号成分を抜き出す低域濾波器１１０と、帯域濾波器１０８から出力された電気信号３０９の波長を検波する波長検波器１０９と、低域濾波器１１０が抜き出した挿引信号３１１と波長検波器１０９が検波した波長に対応した電気信号３１０とを画像表示するオシロスコープ１６と、を有する。
【０００４】
ここで、オシロスコープ１６の画像表示の縦軸電極６２に波長に対応した電気信号３１０を入力し、横軸電極６１に挿引信号３１１を入力する。このようにすると、横軸が被測定ＦＭ受信器の動作点に対応し、縦軸が各動作点における微小信号に対する利得に対応する非直線ひずみを表示することができる。なお、縦軸電極６２の対極電極６４、及び横軸電極６１の対極電極６３は、それぞれ接地する。
【０００５】
また、図１８に示す従来のＦＭ受信器測定システム３００の構成は、図１７に示すＦＭ受信器測定システム２００の構成のうち、波長検波器１０９を帯域濾波器１０８から出力された電気信号３０９の位相を検波する位相検波器２０９に換えた構成である。また、オシロスコープ１６は、低域濾波器１１０が抜き出した挿引信号３１１と位相検波器２０９が検波した位相に対応した電気信号３１２とを画像表示する。
【０００６】
ここで、オシロスコープ１６の画像表示の縦軸電極６２に位相に対応した電気信号３１２を入力し、横軸電極６１に挿引信号３１１を入力する。このようにすると、横軸が被測定ＦＭ受信器の動作点に対応し、縦軸が各動作点における位相成分微小信号に対応する遅延ひずみを表示することができる。
【０００７】
昨今の情報送信技術の発達から、多チャンネルの映像信号を広帯域光網終端装置によってＦＭ復調する必要性が生じている（例えば、非特許文献２参照。）。多チャンネルの映像信号は７０ＭＨｚ〜７００ＭＨｚの範囲の信号で、ＦＭ送信器によって周波数範囲が０〜６ＧＨｚと広帯域に亘ってＦＭ変調される。そのため、ＦＭ変調後の映像信号を復調するＦＭ受信器は、ＦＭ変調信号の許容周波数帯域幅が広帯域となる。許容周波数帯域幅が広帯域であるＦＭ受信器の特性を測定する場合、図１７、図１８に示す従来の測定システムでは、ＦＭ送信器１０３、１０４として、変調周波数帯域が広帯域であるＦＭ送信器（例えば、特許文献１に記載のＦＭ送信器。）を用いる必要がある。さらに、ＦＭ送信器１０３、１０４には、変調周波数帯域が広帯域に亘る直線性が確保されていることが必要とされる。また、帯域濾波器１０６として、広帯域に亘って位相特性が平坦である帯域濾波器を用いる必要がある。
【特許文献１】特許第２７００６２２号公報
【非特許文献１】わかりやすいＦＭ技術＜電子科学シリーズ２６＞（第７版）、（広材済堂産出版）、６９頁〜８０頁
【非特許文献２】ＦＭ一括変換方式を用いた光映像分配システム，電子情報通信学会和文論文誌，Ｖｏｌ．Ｊ８３−Ｂ，Ｎｏ．７，ｐｐ．９４８−９５９，２０００
【発明の開示】
【発明が解決しようとする課題】
【０００８】
しかし、特許文献1に係るＦＭ送信器では、変調周波数帯域が広帯域である一方、直線性の確保が困難である。変調周波数帯域が広帯域になればなるほど、ＦＭ送信器からの出力信号の応答性が悪くなるためである。つまり、変調周波数帯域が広帯域で且つ広帯域に亘る直線性が確保されているＦＭ送信器を用意することは事実上困難である。
【０００９】
そこで、本発明では、広帯域なＦＭ受信器であっても、ＦＭ受信器の特性を精度よく測定することが可能なＦＭ受信器測定システム及びＦＭ受信器測定方法を提供することを目的とする。
【課題を解決するための手段】
【００１０】
本発明では、２種類の発振信号を被測定ＦＭ受信器に入力する。被測定ＦＭ受信器は、入力された発振信号をそれぞれＦＭ復調して出力する。被測定ＦＭ受信器から出力された出力信号の振幅又は遅延時間を測定することにより、出力信号の振幅差又は遅延時間差が求まる。ここで、発振信号の周波数を変えて連続的に振幅差又は遅延時間差を得ることにより、被測定ＦＭ受信器の特性を測ることができる。また、この方法は、ＦＭ信号で強度変調された光信号をＦＭ復調するＦＭ光受信器でも同様に適用することができる。
【００１１】
すなわち、本発明に係るＦＭ受信器測定システムは、ＦＭ変調された電気信号が入力され、該電気信号をＦＭ復調して出力する被測定ＦＭ受信器の特性を測定するＦＭ受信器測定システムであって、一定周波数の電気信号を発振して出力する第１発振器と、前記第１発振器が出力する電気信号の周波数と異なる一定周波数の電気信号を発振して出力する第２発振器と、前記第１発振器から出力される電気信号と前記第２発振器から出力される電気信号とを少なくとも１回ずつ選択して前記被測定ＦＭ受信器に向けて出力する信号出力手段と、前記被測定ＦＭ受信器から出力される電気信号の振幅又は遅延量を測定する波形測定器と、を有することを特徴とする。
【００１２】
上記ＦＭ受信器測定システムにおいて、前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号と前記第２発振器から出力される電気信号とを前記第３発振器から出力される電気信号に同期して切替え、前記被測定ＦＭ受信器に向けて出力する切替器と、を備えることが望ましい。
【００１３】
また、上記ＦＭ受信器測定システムにおいて、前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号を遮断又は通過させる第１電気スイッチと、前記第２発振器から出力される電気信号を遮断又は通過させる第２電気スイッチと、第１電気スイッチ及び第２電気スイッチを通過した電気信号を合波して前記被測定ＦＭ受信器に向けて出力する合波器と、を備え、且つ前記第３発振器が出力する電気信号に同期して前記第１電気スイッチと前記第２電気スイッチとのいずれか一方に電気信号を遮断させ且つ他方に電気信号を通過させることが望ましい。
【００１４】
また、本発明に係るＦＭ光受信器測定システムは、ＦＭ信号で強度変調された光信号が入力され、該光信号を電気信号に変換しＦＭ復調して出力する被測定ＦＭ光受信器の特性を測定するＦＭ光受信器測定システムであって、一定周波数の電気信号を発振して出力する第１発振器と、前記第１発振器が出力する電気信号の周波数と異なる一定周波数の電気信号を発振して出力する第２発振器と、前記第１発振器から出力される電気信号と前記第２発振器から出力される電気信号とを少なくとも１回ずつ選択して出力する信号出力手段と、前記信号出力手段から出力される電気信号を光信号に変換して前記被測定ＦＭ光受信器に向けて出力する電気光信号変換器と、前記被測定ＦＭ光受信器から出力される電気信号の振幅又は遅延量を測定する波形測定器と、を有することを特徴とする。
【００１５】
上記ＦＭ光受信器測定システムにおいて、前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号と前記第２発振器から出力される電気信号とを前記第３発振器から出力される電気信号に同期して切替え、前記電気光信号変換器に向けて出力する切替器と、を備えることが望ましい。
【００１６】
また、上記ＦＭ光受信器測定システムにおいて、前記信号出力手段は、前記第１発振器が発振する電気信号の一定周波数及び前記第２発振器が発振する電気信号の一定周波数よりも低い周波数の電気信号を発振して出力する第３発振器と、前記第１発振器から出力される電気信号を遮断又は通過させる第１電気スイッチと、前記第２発振器から出力される電気信号を遮断又は通過させる第２電気スイッチと、第１電気スイッチ及び第２電気スイッチを通過した電気信号を合波して前記電気光信号変換器に向けて出力する合波器と、を備え、且つ前記第３発振器が出力する電気信号に同期して前記第１電気スイッチと前記第２電気スイッチとのいずれか一方に電気信号を遮断させ且つ他方に電気信号を通過させることが望ましい。
【００１７】
また、本発明に係るＦＭ光受信器測定システムは、ＦＭ信号で強度変調された光信号が入力され、該光信号を電気信号に変換しＦＭ復調して出力する被測定ＦＭ光受信器の特性を測定するＦＭ光受信器測定システムであって、一定周波数の電気信号を発振して出力する第１発振器と、前記第１発振器が出力する電気信号の周波数と異なる一定周波数の電気信号を発振して出力する第２発振器と、前記第１発振器から出力される電気信号を光信号に変換して出力する第１電気光信号変換器と、前記第２発振器から出力される電気信号を光信号に変換して出力する第２電気光信号変換器と、前記第１電気光信号変換器又は前記第２電気光信号変換器のいずれか一方を少なくとも１回ずつ選択して動作させる信号変換選択手段と、前記第１電気光信号変換器及び前記第２電気光信号変換器から出力される光信号を合波して前記被測定ＦＭ光受信器に向けて出力する光合波器と、前記被測定ＦＭ光受信器から出力される電気信号の振幅又は遅延量を測定する波形測定器と、を有することを特徴とする。
【００１８】
上記ＦＭ光受信器測定システムにおいて、前記信号変換選択手段は、前記第１発振器が発振する電気信号の一定周波数及び前記第２発振器が発振する電気信号の一定周波数よりも低い周波数の電気信号を発振して出力する第３発振器と、前記第３発振器が出力する電気信号を正相と逆相のパルスに変換して一方を前記第１電気光信号変換器に向けて出力し、他方を前記第２電気光信号変換器に向けて出力する切替回路と、を備え、前記第１電気光信号変換器及び前記第２電気光信号変換器は、前記切替回路から出力されるパルスが一定値以上のときに動作し、一定値未満のときに停止することが望ましい。
【００１９】
また、本発明に係るＦＭ光受信器測定システムは、ＦＭ信号で強度変調された光信号が入力され、該光信号を電気信号に変換しＦＭ復調して出力する被測定ＦＭ光受信器の特性を測定するＦＭ光受信器測定システムであって、一定周波数の電気信号を発振して出力する第１発振器と、前記第１発振器が出力する電気信号の周波数と異なる一定周波数の電気信号を発振して出力する第２発振器と、前記第１発振器から出力される電気信号を光信号に変換して出力する第１電気光信号変換器と、前記第２発振器から出力される電気信号を光信号に変換して出力する第２電気光信号変換器と、前記第１電気光信号変換器から出力される光信号と前記第２電気光信号変換器から出力される光信号とを少なくとも１回ずつ選択して前記被測定ＦＭ光受信器に向けて出力する光信号出力手段と、前記被測定ＦＭ光受信器から出力される電気信号の振幅又は遅延量を測定する波形測定器と、を有することを特徴とする。
【００２０】
上記ＦＭ光受信器測定システムにおいて、前記光信号出力手段は、前記第１発振器が発振する電気信号の一定周波数及び前記第２発振器が発振する電気信号の一定周波数よりも低い周波数の電気信号を発振して出力する第３発振器と、前記第１電気光信号変換器から出力される光信号と前記第２電気光信号変換器から出力される光信号とを前記第３発振器から出力される電気信号に同期して切替え、前記被測定ＦＭ光受信器に向けて出力する光切替器と、を備えることが望ましい。
【００２１】
また、上記ＦＭ光受信器測定システムにおいて、前記光信号出力手段は、前記第１発振器が発振する電気信号の一定周波数及び前記第２発振器が発振する電気信号の一定周波数よりも低い周波数の電気信号を発振して出力する第３発振器と、前記第１電気光信号変換器から出力される光信号を遮断又は通過させる第１光スイッチと、前記第２電気光信号変換器から出力される光信号を遮断又は通過させる第２光スイッチと、前記第１光スイッチ及び前記第２光スイッチを通過した光信号を合波する光合波器と、を備え、且つ前記第３発振器が出力する電気信号に同期して前記第１光スイッチと前記第２光スイッチとのいずれか一方に光信号を遮断させ且つ他方に光信号を通過させることが望ましい。
【００２２】
本発明に係るＦＭ受信器測定方法は、ＦＭ変調された電気信号が入力され、該電気信号をＦＭ復調して出力する被測定ＦＭ受信器の特性を測定するＦＭ受信器測定方法であって、一定の差周波数を維持して発振周波数を掃引した第１発振器の電気信号及び第２発振器の電気信号を出力するステップと、前記第１発振器から出力される電気信号及び前記第２発振器から出力される電気信号のうちいずれか一方を選択して前記被測定ＦＭ受信器に向けて出力するステップと、前記第１発振器から出力される電気信号及び前記第２発振器から出力される電気信号の選択に合わせて前記被測定ＦＭ受信器から出力される電気信号の振幅又は遅延量を測定するステップと、を有することを特徴とする。
【００２３】
また、本発明に係るＦＭ光受信器測定方法は、ＦＭ信号で強度変調された光信号が入力され、該光信号を電気信号に変換しＦＭ復調して出力する被測定ＦＭ光受信器の特性を測定するＦＭ光受信器測定方法であって、一定の差周波数を維持して発振周波数を掃引した第１発振器の電気信号及び第２発振器の電気信号を出力するステップと、前記第１発振器から出力される電気信号及び前記第２発振器から出力される電気信号のうちいずれか一方を少なくとも１回ずつ選択するステップと、選択した電気信号を光信号に変換して前記被測定ＦＭ光受信器に向けて出力するステップと、前記第１発振器から出力された電気信号及び前記第２発振器から出力された電気信号の選択に合わせて前記被測定ＦＭ光受信器から出力される電気信号の振幅又は遅延量を測定するステップと、を有することを特徴とする。
【００２４】
また、本発明に係るＦＭ光受信器測定方法は、ＦＭ信号で強度変調された光信号が入力され、該光信号を電気信号に変換しＦＭ復調して出力する被測定ＦＭ光受信器の特性を測定するＦＭ光受信器測定方法であって、一定の差周波数を維持して発振周波数を掃引した第１発振器の電気信号及び第２発振器の電気信号を出力するステップと、前記第１発振器から出力される電気信号を光信号に変換する第１電気光信号変換器又は前記第２発振器から出力される電気信号を光信号に変換する第２電気光信号変換器の動作を少なくとも１回ずつ選択するステップと、第１電気光信号変換器及び第２電気光信号変換器のうち選択された方から出力された光信号を前記被測定ＦＭ光受信器に向けて出力するステップと、第１電気光信号変換器及び第２電気光信号変換器の動作の選択に合わせて前記被測定ＦＭ光受信器から出力される電気信号の振幅又は遅延量を測定するステップと、を有することを特徴とする。
【００２５】
また、本発明に係るＦＭ光受信器測定方法は、ＦＭ信号で強度変調された光信号が入力され、該光信号を電気信号に変換しＦＭ復調して出力する被測定ＦＭ光受信器の特性を測定するＦＭ光受信器測定方法であって、一定の差周波数を維持して発振周波数を掃引した第１発振器の電気信号及び第２発振器の電気信号を出力するステップと、前記第１発振器及び前記第２発振器から出力された電気信号をそれぞれ光信号に変換するステップと、変換された光信号のいずれか一方を少なくとも１回ずつ選択して前記被測定ＦＭ光受信器に向けて出力するステップと、前記第１発振器及び前記第２発振器から出力された電気信号を変換した後の２つの光信号の選択に合わせて前記被測定ＦＭ光受信器から出力される電気信号の振幅又は遅延量を測定するステップと、を有することを特徴とする。
【発明の効果】
【００２６】
本発明のＦＭ受信器測定システム及びＦＭ受信器測定方法では、広帯域なＦＭ受信器であっても、ＦＭ受信器の特性を精度よく測定することが可能である。また、広帯域なＦＭ光受信器であっても、ＦＭ光受信器の特性を精度よく測定することが可能である。
【発明を実施するための最良の形態】
【００２７】
（第１実施形態）
以下、本願発明の実施の形態について、添付の図面を参照して説明するが、本発明はこれらの記載に限定して解釈されない。
【００２８】
図１に、本実施形態に係るＦＭ受信器測定システムの概略構成図を示す。ＦＭ受信器測定システム１は、ＦＭ変調された電気信号が入力され、電気信号をＦＭ復調して出力する被測定ＦＭ受信器１５の特性を測定するＦＭ受信器測定システムであって、一定周波数の電気信号５０を発振して出力する第１発振器１１と、第１発振器１１が出力する電気信号５０の周波数と異なる一定周波数の電気信号５１を発振して出力する第２発振器１２と、第１発振器１１から出力される電気信号５０と第２発振器１２から出力される電気信号５１とを少なくとも１回ずつ選択して被測定ＦＭ受信器１５に向けて出力する信号出力手段３０と、被測定ＦＭ受信器１５から出力される電気信号５３の振幅又は遅延量を測定する波形測定器としてのオシロスコープ１６と、を有する。
【００２９】
第１発振器１１は、一定周波数の電気信号５０を発振して出力する。例えば水晶発振器を例示することができる。水晶発振器は発振周波数の選択の種類が多いため、所望の周波数の電気信号を得ることができる。ＦＭ受信器測定システム１を使用するときには、第１発振器１１が出力する電気信号５０の周波数は、被測定ＦＭ受信器１５への入力電気信号の許容周波数帯域内とする。
【００３０】
第２発振器１２は、第１発振器１１が出力する電気信号５０の周波数と異なる一定周波数の電気信号５１を発振して出力する。例えば、第１発振器と同様に水晶発振器を例示することができる。また、ＦＭ受信器測定システム１を使用するときには、第２発振器１２が出力する電気信号５１の周波数は、被測定ＦＭ受信器１５への入力電気信号の許容周波数帯域内とする。第２発振器１２が出力する電気信号５１の周波数と第１発振器１１が出力する電気信号５０の周波数との周波数差は、いずれの大きさとすることとしてもよいが、被測定ＦＭ受信器１５の特性をより細かく測定するためには、ＦＭ受信器測定システム１の内部雑音に埋もれない程度に小さくすることが望ましい。例えば、１ＭＨｚ程度で一定とする。また、第１発振器１１及び第２発振器１２が出力する電気信号の周波数は、可変とすることとしてもよい。第１発振器１１及び第２発振器１２が出力する電気信号の周波数を可変とすることで、被測定ＦＭ受信器１５の測定を広帯域に亘って連続して行うことができる。
【００３１】
信号出力手段３０は、第１発振器１１から出力される電気信号５０と第２発振器１２から出力される電気信号５１とを少なくとも１回ずつ選択して被測定ＦＭ受信器１５に向けて出力する。信号は、例えばディップスイッチやトグルスイッチ等のスイッチによって手動によって選択することもできるし、電子制御によって自動で選択することもできる。いずれも簡単な構成で実現することができる。ここで、図３に、電子制御によって信号を自動で選択する手段の実施形態を示した図を示す。図３は、図１に示す信号出力手段３０を抜き出して記載した図である。図３に示すように、信号出力手段３０は、電気信号５０の一定周波数及び電気信号５１の一定周波数よりも低い周波数の電気信号５６を発振して出力する第３発振器１３と、電気信号５０と電気信号５１とを第３発振器１３から出力される電気信号５６に同期して切替え、電気信号５２として出力する切替器１４と、を備える。
【００３２】
第３発振器１３は、電気信号５０の一定周波数及び電気信号５１の一定周波数よりも低い周波数の電気信号５６を発振して出力する。第３発振器１３が出力する電気信号５６は、電気信号５０と電気信号５１との出力の切替えを行うための信号であることから、電気信号５６の周波数は一定でなくてもよい。また、第３発振器１３が出力する電気信号５６の発振周波数は、信号伝送に頻繁に用いられる周波数、例えば７０ＭＨｚ〜７７０ＭＨｚの範囲で設定することとしてもよい。第３発振器１３は、第１発振器及び第２発振器と同様に例えば水晶発振器を例示することができる。但し、第３発振器１３は、第１発振器や第２発振器よりは精度は必要としない。
【００３３】
切替器１４は、電気信号５０と電気信号５１とを第３発振器１３から出力される電気信号５６に同期して切替える。例えば、第３発振器１３が出力する電気信号５６が矩形波である場合、閾値より大きいときに電気信号５０を選択し、閾値より小さいときに電気信号５１を選択することとすることで、電気信号５６に同期させることができる。信号出力手段３０を第３発振器１３と切替器１４とで構成すると、電気信号５０、５１の自動切替えが可能となる。
【００３４】
ここで、図４に、電子制御によって信号を自動で選択する手段の他の実施形態を示した図を示す。図４もまた、図１に示す信号出力手段３０を抜き出して記載した図である。図４に示すように、信号出力手段３０は、電気信号５０の一定周波数及び電気信号５１の一定周波数よりも低い周波数の電気信号５７、５８を発振して出力する第３発振器２３と、電気信号５０を遮断又は通過させる第１電気スイッチ２４と、電気信号５１を遮断又は通過させる第２電気スイッチ２５と、第１電気スイッチ２４及び第２電気スイッチ２５を通過した電気信号５０、５１を合波して電気信号５２として出力する合波器２６と、を備え、且つ第３発振器２３が出力する電気信号５７、５８に同期して第１電気スイッチ２４と第２電気スイッチ２５とのいずれか一方に電気信号を遮断させ且つ他方に電気信号を通過させる。
【００３５】
第３発振器２３は、電気信号５０の一定周波数及び電気信号５１の一定周波数よりも低い周波数の電気信号５７、５８を発振して出力する。また、第３発振器２３が出力する電気信号５７、５８は、電気信号５０と電気信号５１との出力の切替えを行うための信号であることから、第３発振器２３が出力する電気信号５７、５８の周波数は一定でなくてもよい。第３発振器２３は、第１発振器１１及び第２発振器１２と同様に例えば水晶発振器を例示することができる。
【００３６】
第１電気スイッチ２４は、電気信号５０を遮断又は通過させる。例えば、第１電気スイッチ２４としてＡＮＤ回路を適用することができる。この場合、ＡＮＤ回路の一方の入力に電気信号５０を入力し、他方に第３発振器２３の出力電気信号５７を入力する。このようにすることで、電気信号５７の立上りと共に電気信号５０を通過させ、立下りと共に電気信号５０を遮断することができる。
【００３７】
第２電気スイッチ２５は、電気信号５１を遮断又は通過させる。例えば、第２電気スイッチ２５としてＡＮＤ回路及びＮＯＴ回路を用いた回路を適用することができる。この場合、ＡＮＤ回路の一方の入力に、ＮＯＴ回路を介して第３発振器２３の出力電気信号５８を入力し、他方に電気信号５１を入力する。このようにすることで、電気信号５８の立下がりと共に電気信号５１を通過させ、立上りと共に電気信号５１を遮断することができる。電気信号５７と電気信号５８とを同一位相とすることで、電気信号５０と電気信号５１とを交互に通過させることができる。
【００３８】
合波器２６は、第１電気スイッチ２４及び第２電気スイッチ２５を通過した電気信号５０、５１を合波する。合波器２６は、例えば一方の電気信号５０が第１電気スイッチ２４を通過しているときには、電気信号５０の信号電圧が第２電気スイッチ２５に印加されないため、合波器２６からは電気信号５０か電気信号５１のいずれかが出力される。そのため、ＦＭ受信器測定システム１の誤動作を防止することができる。信号出力手段３０を第３発振器２３と第１電気スイッチ２４と第２電気スイッチ２５とを有する構成とすると、簡単な回路構成により電気信号５０、５１の自動切替えが可能となる。
【００３９】
図１において、被測定ＦＭ受信器１５は、ＦＭ受信器測定システム１の測定対象となるＦＭ受信器である。信号出力手段３０から出力された電気信号５２をＦＭ復調して電気信号５３として出力する。被測定ＦＭ受信器１５の入力電気信号５２の許容周波数帯域に合わせて、ＦＭ受信器測定システム１の第１発振器１１及び第２発振器１２の発振周波数を選択することによって、被測定ＦＭ受信器１５の特性を測ることができる。このように、第１発振器１１及び第２発振器１２から出力された電気信号５０、５１のいずれか一方を選択して直接に被測定ＦＭ受信器１５に入力することで、変調周波数帯域が広帯域で且つ広帯域に亘る直線性が確保されているＦＭ送信器や広帯域に亘って位相特性が平坦である帯域濾波器を必要とすることがない。そのため、被測定ＦＭ受信器１５への入力信号の許容周波数帯域が広帯域であっても、被測定ＦＭ受信器１５の特性を精度よく測定することが可能である。
【００４０】
オシロスコープ１６は、被測定ＦＭ受信器１５から出力された電気信号５３の振幅又は遅延量を測定する波形測定器として使用する。例えば、電気信号５３を縦軸電極６２に入力し、横軸電極６１に適当な掃引信号６５を入力する。このようにすることで、オシロスコープ１６の画面上に電気信号５３の波形が表示されるため、電気信号５３の振幅又は遅延量を測定することができる。掃引信号６５は、のこぎり波を適用できる。図２に掃引信号６５の波形の一例を示す。掃引信号６５のレンジ５４を変えることによって、オシロスコープ１６の画面上の表示時間幅を変えることができる。なお、掃引信号６５は、のこぎり波に限らず、正弦波、矩形波等の繰り返し形状の波形であればいずれであってもよい。また、本実施形態では横軸電極６１にのこぎり波の掃引信号６５を入力することとしたが、被測定ＦＭ受信器１５への入力電気信号５２を横軸電極６１に入力することとしてもよい。このようにすることで、オシロスコープ１６の画面上には、横軸を被測定ＦＭ受信器１５への入力電気信号５２、縦軸を電気信号５３とする楕円のリサージュ図形が表示され、電気信号５３の振幅又は遅延量をより視覚的に測定することができる。
【００４１】
本実施形態では、波形測定器としてオシロスコープ１６を使用することとしたが、電気信号５３の振幅又は遅延量を測定できればいずれのものであってもよい。例えば、振幅を測る測定器として電圧計を用いることとしてもよい。振幅の実効値を精度よく測ることができる。また、遅延量を測る測定器として、デジタル回路のデバグ等を行うロジックアナライザを用いることとしてもよい。信号の立上り及び立下りの時点が表示されるため、遅延量が測定し易い。
【００４２】
ここで、図１に示すＦＭ受信器測定システム１の測定原理について説明する。まず、ＦＭ受信器測定システム１による非直線ひずみの測定原理について説明する。図１３に被測定ＦＭ受信器の周波数特性の概略図を示す。図１４に、被測定ＦＭ受信器への入力電気信号と、被測定ＦＭ受信器からの出力電気信号の概略図を示す。図１３において、横軸は、図１に示す被測定ＦＭ受信器１５への入力電気信号の周波数を示し、縦軸は、被測定ＦＭ受信器１５への入力電気信号の周波数に対応したＦＭ復調後の電気信号の振幅を示す。図１４において、図１４（ａ）は、図１に示す被測定ＦＭ受信器１５への入力電気信号の波形を示し、図１４（ｂ）は、図１に示す被測定ＦＭ受信器１５からの出力電気信号の波形を示す。
【００４３】
図１に示す被測定ＦＭ受信器１５に、図１３に示す周波数９４の電気信号を入力すると、被測定ＦＭ受信器１５は、周波数９４に対応する振幅９２の電気信号をＦＭ復調して出力する。ここで、被測定ＦＭ受信器１５への入力電気信号の波形を図１４（ａ）に示す波形９６１とすると、出力電気信号の波形は、図１４（ｂ）に示す波形９８となる。また、図１に示す被測定ＦＭ受信器１５に、図１３に示す周波数９５の電気信号を入力すると、被測定ＦＭ受信器１５は、周波数９５に対応する振幅９１の電気信号をＦＭ復調して出力する。ここで、被測定ＦＭ受信器１５への入力電気信号の波形を図１４（ａ）に示す波形９６２とすると、出力電気信号の波形は、図１４（ｂ）に示す波形９９となる。なお、図１４（ａ）の時間波形である波形９６１と波形９６２とは周波数差９７を有する。
【００４４】
このように、周波数差９７である２つの入力電気信号を被測定ＦＭ受信器１５に入力することによって振幅差９３である２つの出力信号を得ることができる。振幅差９３を得るためには波形９６１の電気信号と波形９６２の電気信号とを少なくとも１回ずつ入力する必要がある。ここで、周波数差９７を一定に保って周波数９４、９５を連続的に変化させていくと周波数差９７に対応した振幅差９３を連続して得ることができる。振幅差９３を周波数差９７で割った値は、図１３に示す周波数特性の微分値となるため、最終的には、連続的に求めた微分値を積分することによって周波数特性の非線形のグラフを得ることができる。このとき、周波数差９７を小さくすることにより周波数特性をより細かく測ることができる。
【００４５】
次に、図１に示すＦＭ受信器測定システム１による遅延ひずみの測定原理について説明する。図１５に被測定ＦＭ受信器の周波数特性の概略図を示す。図１６に、被測定ＦＭ受信器への入力電気信号と、被測定ＦＭ受信器からの出力電気信号の概略図を示す。図１５において、横軸は、図１に示す被測定ＦＭ受信器１５への入力電気信号の周波数を示し、縦軸は、被測定ＦＭ受信器１５への入力電気信号の周波数に対応したＦＭ復調後の出力電気信号の遅延量を示す。図１６において、図１６（ａ）は、図１に示す被測定ＦＭ受信器１５への入力電気信号の波形を示し、図１６（ｂ）は、図１に示す被測定ＦＭ受信器１５からの出力電気信号の波形を示す。
【００４６】
図１に示す被測定ＦＭ受信器１５に、図１５に示す周波数３４の電気信号を入力すると、被測定ＦＭ受信器１５は、周波数３４に対応する遅延量３３の電気信号をＦＭ復調して出力する。また、図１５に示す周波数３５の電気信号を入力すると、被測定ＦＭ受信器１５は、周波数３５に対応する遅延量３３の電気信号をＦＭ復調して出力する。よって、周波数３４、３５の電気信号の入力の例では、被測定ＦＭ受信器１５からの出力電気信号の遅延量は同一である。
【００４７】
また、図１に示す被測定ＦＭ受信器１５に、図１５に示す周波数３６の電気信号を入力すると、被測定ＦＭ受信器１５は、周波数３６に対応する遅延量３２の電気信号をＦＭ復調して出力する。ここで、被測定ＦＭ受信器１５への入力電気信号の波形を図１６（ａ）に示す波形２７１とすると、出力電気信号の波形は、図１６（ｂ）に示す波形２８となり、遅延量３２を得る。また、図１に示す被測定ＦＭ受信器１５に、図１５に示す周波数３７の電気信号を入力すると、被測定ＦＭ受信器１５は、周波数３７に対応する遅延量３１の電気信号をＦＭ復調して出力する。ここで、被測定ＦＭ受信器１５への入力電気信号の波形を図１６（ａ）に示す波形２７２とすると、出力電気信号の波形は、図１６（ｂ）に示す波形２９となり、遅延量３１を得る。なお、図１６（ａ）の時間波形である波形２７１と波形２７２とは周波数差３８に対応した波形となる。
【００４８】
このように、周波数差３８である２つの入力電気信号を被測定ＦＭ受信器１５に入力することによって遅延量差４８である２つの出力信号を得ることができる。遅延量差４８を得るためには波形２７１の電気信号と波形２７２の電気信号とを少なくとも１回ずつ入力する必要がある。ここで、周波数差３８を一定に保って周波数３６、３７を連続的に変化させていくと周波数差３８に対応した遅延量差４８を連続して得ることができる。遅延量差４８を周波数差３８で割った値は、図１５に示す周波数特性の微分値となるため、最終的には、連続的に求めた微分値を積分することによって周波数特性のグラフを得ることができる。このとき、周波数差３８を小さくすることにより周波数特性をより細かく測ることができる。
【００４９】
ここで、ＦＭ受信器の測定方法について図１、図３、図４を参照して説明する。ＦＭ受信器測定システム１に被測定ＦＭ受信器１５をセットした後に、まず、所定の周波数の電気信号５０、５１を第１発振器１１及び第２発振器１２のそれぞれから発振して出力する。第１発振器１１と第２発振器１２はそれぞれの発振周波数の差周波数を一定に維持してそれぞれの発振周波数を掃引する。次に、第１発振器１１から出力された電気信号５０及び第２発振器１２から出力された電気信号５１のうちいずれか一方を選択して被測定ＦＭ受信器１５に向けて出力する。被測定ＦＭ受信器１５は、入力された電気信号５２をＦＭ復調して電気信号５３として出力する。
【００５０】
第１発振器１１から出力される電気信号５０及び第２発振器１２から出力される電気信号５１の選択に合わせて被測定ＦＭ受信器１５から出力される電気信号５３の振幅又は遅延量を波形測定器としてのオシロスコープ１６によって測定する。ここで、電気信号５０と電気信号５１との切替えを図３に示す第３発振器１３が出力する電気信号５６に同期して行うことによって、特性の測定の自動化が図れる。また、電気信号５０と電気信号５１との切替えを図４に示す第３発振器２３が出力する電気信号５７、５８に同期して行うことによっても、特性の測定の自動化が図れる。オシロスコープ１６を第１発振器１１と第２発振器１２の掃引周波数に合わせて、時間軸で掃引すると、時間軸に代えて周波数軸として測定することができる。掃引する周波数を電圧に変換した信号でオシロスコープ１６を掃引すると、直接、周波数軸として測定することができる。
【００５１】
このように、第１発振器１１及び第２発振器１２から出力された電気信号５０、５１のいずれか一方を選択して直接に被測定ＦＭ受信器１５に入力することで、変調周波数帯域が広帯域で且つ広帯域に亘る直線性が確保されているＦＭ送信器や広帯域に亘って位相特性が平坦である帯域濾波器を必要とすることがない。そのため、被測定ＦＭ受信器１５への入力信号の許容周波数帯域が広帯域であっても、被測定ＦＭ受信器１５の特性を精度よく測定することが可能である。
【００５２】
（第２実施形態）
図５に、本実施形態に係るＦＭ光受信器測定システムの概略構成図を示す。ＦＭ光受信器測定システム２は、ＦＭ信号で強度変調された光信号が入力され、光信号を電気信号に変換しＦＭ復調して出力する被測定ＦＭ光受信器４１の特性を測定するＦＭ光受信器測定システムであって、一定周波数の電気信号を発振して出力する第１発振器１１と、第１発振器１１が出力する電気信号７０の周波数と異なる一定周波数の電気信号７１を発振して出力する第２発振器１２と、第１発振器１１から出力される電気信号７０と第２発振器１２から出力される電気信号７１とを少なくとも１回ずつ選択して出力する信号出力手段４０と、信号出力手段４０から出力される電気信号７２を光信号７３に変換して被測定ＦＭ光受信器４１に向けて出力する電気光信号変換器４９と、被測定ＦＭ光受信器４１から出力される電気信号７５の振幅又は遅延量を測定する波形測定器としてのオシロスコープ１６と、を有する。
【００５３】
ここで、第１発振器１１、第２発振器１２、信号出力手段４０及びオシロスコープ１６は第１実施形態で説明したものと同様であるため、説明は省略し、電気光信号変換器４９及び被測定ＦＭ光受信器４１について説明する。なお、信号出力手段４０は、図３及び図４で説明した信号出力手段の実施形態と同様の信号出力手段を適用することができる。本実施形態に係るＦＭ光受信器測定システム２は、被測定ＦＭ光受信器４１と信号出力手段４０との間に電気光信号変換器４９を配置することで、第１実施形態で説明したＦＭ受信器測定システムの測定原理（図１３、図１４、図１５、図１６）と同様の測定原理を適用して被測定ＦＭ光受信器４１の特性を測定することができる。
【００５４】
電気光信号変換器４９は、信号出力手段４０から出力される電気信号７２を光信号７３に変換して被測定ＦＭ光受信器４１に向けて出力する。電気光信号変換器４９は、例えば、電気信号７２を増幅する増幅器と増幅した電気信号を光に変換する半導体レーザを用いて実現することができる。
【００５５】
被測定ＦＭ光受信器４１は、ＦＭ光受信器測定システム２の測定対象となるＦＭ光受信器である。電気光信号変換器４９から出力された光信号７３を電気信号に変換してＦＭ復調して電気信号７５として出力する。被測定ＦＭ光受信器４１の入力光信号７３の許容周波数帯域に合わせて、ＦＭ光受信器測定システム２の第１発振器１１及び第２発振器１２の発振周波数を選択することよって、被測定ＦＭ光受信器４１の特性を測ることができる。本実施形態でも、第１実施形態と同様に、第１発振器１１及び第２発振器１２から出力された電気信号７０、７１のいずれか一方を信号出力手段４０によって選択して直接に被測定ＦＭ光受信器４１に入力することで、変調周波数帯域が広帯域で且つ広帯域に亘る直線性が確保されているＦＭ送信器や広帯域に亘って位相特性が平坦である帯域濾波器を必要とすることがない。そのため、被測定ＦＭ光受信器４１への入力信号の許容周波数帯域が広帯域であっても、被測定ＦＭ光受信器４１の特性を精度よく測定することが可能である。
【００５６】
ここで、図５に示すＦＭ光受信器の測定方法について図３、図４、図５を参照して説明する。ＦＭ光受信器測定システム２に被測定ＦＭ光受信器４１をセットした後に、まず、一定周波数の電気信号７０、７１を第１発振器１１及び第２発振器１２のそれぞれから発振して出力する。第１発振器１１と第２発振器１２はそれぞれの発振周波数の差周波数を一定に維持してそれぞれの発振周波数を掃引する。次に、第１発振器１１から出力された電気信号７０及び第２発振器１２から出力された電気信号７１のうちいずれか一方を選択する。選択した電気信号を光信号７３に変換して被測定ＦＭ光受信器４１に向けて出力する。
【００５７】
第１発振器１１から出力された電気信号７０及び第２発振器１２から出力された電気信号７１の選択に合わせて被測定ＦＭ光受信器４１から出力される電気信号７５の振幅又は遅延量を波形測定器としてのオシロスコープ１６によって測定する。ここで、電気信号７０と電気信号７１との切替えを図３に示す第３発振器１３が出力する電気信号５６に同期して行うことによって、特性の測定の自動化が図れる。また、電気信号７０と電気信号７１との切替えを図４に示す第３発振器２３が出力する電気信号５７、５８に同期して行うことによっても、特性の測定の自動化が図れる。オシロスコープ１６を第１発振器１１と第２発振器１２の掃引周波数に合わせて、時間軸で掃引すると、時間軸に代えて周波数軸として測定することができる。掃引する周波数を電圧に変換した信号でオシロスコープ１６を掃引すると、直接、周波数軸として測定することができる。
【００５８】
このように、第１発振器１１及び第２発振器１２から出力された電気信号７０、７１のいずれか一方を選択して直接に被測定ＦＭ光受信器４１に入力することで、変調周波数帯域が広帯域で且つ広帯域に亘る直線性が確保されているＦＭ送信器や広帯域に亘って位相特性が平坦である帯域濾波器を必要とすることがない。そのため、被測定ＦＭ光受信器４１への入力信号の許容周波数帯域が広帯域であっても、被測定ＦＭ光受信器４１の特性を精度よく測定することが可能である。
【００５９】
（第３実施形態）
図６に、本実施形態に係るＦＭ光受信器測定システムの概略構成図を示す。ＦＭ光受信器測定システム３は、ＦＭ信号で強度変調された光信号が入力され、光信号を電気信号に変換しＦＭ復調して出力する被測定ＦＭ光受信器４７の特性を測定するＦＭ光受信器測定システムであって、一定周波数の電気信号８０を発振して出力する第１発振器１１と、第１発振器１１が出力する電気信号８０の周波数と異なる一定周波数の電気信号８１を発振して出力する第２発振器１２と、第１発振器１１から出力される電気信号８０を光信号８３に変換して出力する第１電気光信号変換器４３と、第２発振器１２から出力される電気信号８１を光信号８２に変換して出力する第２電気光信号変換器４４と、第１電気光信号変換器４３から出力される光信号８３と第２電気光信号変換器４４から出力される光信号８２とを少なくとも１回ずつ選択して被測定ＦＭ光受信器４７に向けて出力する光信号出力手段９０と、被測定ＦＭ光受信器４７から出力される電気信号８５の振幅又は遅延量を測定する波形測定器としてのオシロスコープ１６とを有する。
【００６０】
ここで、第１発振器１１、第２発振器１２及びオシロスコープ１６は第１実施形態で説明したものと同様であるため、説明は省略する。また、第１電気光信号変換器４３、第２電気光信号変換器４４及び被測定ＦＭ光受信器４７は、第２実施形態で説明したものと同様であるため、説明は省略し、光信号出力手段９０について説明する。また、本実施形態においてもＦＭ光受信器測定システム３の測定原理は第１実施形態で説明した測定原理（図１３、図１４、図１５、図１６）を適用するため、説明は省略する。本実施形態に係るＦＭ光受信器測定システム３は、第１発振器１１、１２から出力される電気信号を共に第１電気光信号変換器４３、第２電気光信号変換器４４によって光信号に変換する。第１発振器１１、１２から出力される電気信号を早い段階で光信号に変換することで電気的雑音の影響を少なくすることができる。そのため、精度よく被測定ＦＭ光受信器４７の特性を測定することができる。
【００６１】
光信号出力手段９０は、第１電気光信号変換器４３から出力される光信号８３と第２電気光信号変換器４４から出力される光信号８２とを少なくとも１回ずつ選択して被測定ＦＭ光受信器４７に向けて出力する。光信号の選択は、光軸に対して反射面を斜めに配置したミラーを適用して、ミラーの角度を切替えることによって手動によってすることもできるし、光スイッチを用いて自動ですることもできる。いずれも簡単な構成で実現することができる。ここで、図７に、光信号を自動で選択する手段の実施形態を示した図を示す。図７は、図６に示す信号出力手段９０を抜き出して記載した図である。図７に示す光信号出力手段９０は、第１発振器１１（図６）が出力する電気信号８０の一定周波数及び第２発振器１２（図６）が出力する電気信号８１の一定周波数よりも低い周波数の電気信号８６を発振して出力する第３発振器４５と、光信号８３と光信号８２とを第３発振器４５から出力される電気信号８６に同期して切替え、光信号８４として出力する光切替器４６と、を備える。ここで、第３発振器４５は、図３に示す信号出力手段の実施形態で説明した第３発振器と同様であるため説明は省略する。
【００６２】
光切替器４６は、光信号８３と光信号８２とを第３発振器４５から出力される電気信号８６に同期して切替える。例えば、第３発振器４５が出力する電気信号８６が矩形波である場合、閾値より高いときに光信号８３を選択し、閾値より低いときに光信号８２を選択することとすることで、電気信号８６に同期させることができる。光信号出力手段９０を第３発振器４５と光切替器４６とで構成すると、光信号８３、８２の自動切替えが可能となる。
【００６３】
また、図８に、光信号を自動で選択する手段の他の実施形態を示した図を示す。図８もまた、図６に示す信号出力手段９０を抜き出して記載した図である。図８に示す光信号出力手段９０は、第１発振器１１（図６）が出力する電気信号８０の一定周波数及び第２発振器１２（図６）が出力する電気信号８１の一定周波数よりも低い周波数の電気信号８７、８８を発振して出力する第３発振器７７と、光信号８３を遮断又は通過させる第１光スイッチ７６と、光信号８２を遮断又は通過させる第２光スイッチ７８と、第１光スイッチ７６及び第２光スイッチ７８を通過した光信号を合波して光信号８４として出力する光合波器７９と、を備え、且つ第３発振器７７が出力する電気信号８７、８８に同期して第１光スイッチ７６と第２光スイッチ７８とのいずれか一方に光信号を遮断させ且つ他方に光信号を通過させる。ここで、第３発振器７７は、図４に示す信号出力手段の実施形態で第３発振器と同様であるため説明は省略する。
【００６４】
第１光スイッチ７６は、光信号８３を遮断又は通過させる。例えば、電気光学効果、熱光学効果を利用した平面光導波回路を利用することとしてもよい。電気光学効果とは、電界を印加することにより材料の屈折率が変化する効果のことで、この効果を有する材料としては、ニオブ酸リチウム等の材料が挙げられる。また、平面光導波回路とは、基板上に光導波路を形成し、光回路としたものをいう。電気光学効果を有する材料を用いた平面光導波回路を光ファイバ中に挿入して、平面光導波回路に光信号を透過させる構成とする。透過した光信号を遮断するには、平面光導波回路に電界を印加すればよい。平面光導波回路に電界を印加することにより、電気光学効果のため、平面光導波回路内の屈折率が変化する。屈折率が変化すると光信号の透過経路が変化し、光信号を元の出力位置からずらすことで光信号を遮断することができる。
【００６５】
第２光スイッチ７８は、光信号８２を遮断又は通過させる。第１光スイッチ７６と同様に、電気光学効果、熱光学効果を利用した平面光導波回路を利用することとしてもよい。ここで、第３発振器７７から出力される電気信号８７を矩形波とする場合、第１光スイッチ７６を平面光導波回路とし、電気信号８７の立上りと共に電界をかけて光信号８３を通過させ、立下りと共に光信号８３を遮断する構成とする。また、第２光スイッチ７８を平面光導波回路とし、ＮＯＴ回路を介して第２光スイッチ７８に電界をかけることとし、電気信号８８の立下がりと共に光信号８２を通過させ、立上りと共に光信号８２を遮断する構成とする。電気信号８７と電気信号８８とを同一位相とすることで、光信号８３と光信号８２とを交互に通過させることができる。
【００６６】
光合波器７９は、第１光スイッチ７６及び第２光スイッチ７８を通過した光信号を合波する。例えば、光カプラを適用することができる。光カプラとして光ファイバ型や平面光導波型を適用することができる。光信号出力手段９０を第３発振器７７と第１光スイッチ７６と第２光スイッチ７８とを有する構成とすると、簡単な回路構成により光信号８３、８２の自動切替えが可能となる。
【００６７】
ここで、図６に示すＦＭ光受信器の測定方法について図６、図７、図８を参照して説明する。ＦＭ光受信器測定システム３に被測定ＦＭ光受信器４７をセットした後に、まず、一定周波数の電気信号８０、８１を第１発振器１１及び第２発振器１２のそれぞれから発振して出力する。第１発振器１１と第２発振器１２はそれぞれの発振周波数の差周波数を一定に維持してそれぞれの発振周波数を掃引する。次に、第１発振器１１から出力された電気信号８０及び第２発振器１２から出力された電気信号８１をそれぞれ光信号８３、８２に変換する。変換された光信号のいずれか一方を選択して被測定ＦＭ光受信器４７に向けて出力する。このように、第１発振器１１、１２から出力される電気信号８０、８１を早い段階で光信号に変換することで電気的雑音の影響を少なくすることができる。そのため、精度良く被測定ＦＭ光受信器４７の特性を測定することができる。
【００６８】
第１発振器１１及び第２発振器１２から出力された電気信号８０、８１を変換した後の２つの光信号８３、８２の選択に合わせて被測定ＦＭ光受信器４７から出力される電気信号８５の振幅又は遅延量を波形測定器としてのオシロスコープ１６によって測定する。ここで、光信号８３と光信号８２との切替えを図７に示す第３発振器４５出力する電気信号８６に同期して行うことによって、特性の測定の自動化が図れる。また、光信号８３と光信号８２との切替えを図８に示す第３発振器７７が出力する電気信号８７、８８に同期して行うことによっても、特性の測定の自動化が図れる。オシロスコープ１６を第１発振器１１と第２発振器１２の掃引周波数に合わせて、時間軸で掃引すると、時間軸に代えて周波数軸として測定することができる。掃引する周波数を電圧に変換した信号でオシロスコープ１６を掃引すると、直接、周波数軸として測定することができる。
【００６９】
このように、第１発振器１１及び第２発振器１２から出力された電気信号８０、８１をそれぞれ光信号に変換し、いずれか一方を選択して直接に被測定ＦＭ光受信器４７に入力することで、変調周波数帯域が広帯域で且つ広帯域に亘る直線性が確保されているＦＭ送信器や広帯域に亘って位相特性が平坦である帯域濾波器を必要とすることがない。そのため、被測定ＦＭ光受信器４７への入力信号の許容周波数帯域が広帯域であっても、被測定ＦＭ光受信器４７の特性を精度よく測定することが可能である。
【００７０】
（第４実施形態）
図９に、本実施形態に係るＦＭ光受信器測定システムの概略構成図を示す。ＦＭ光受信器測定システム４は、ＦＭ信号で強度変調された光信号が入力され、光信号を電気信号に変換しＦＭ復調して出力する被測定ＦＭ光受信器１１４の特性を測定するＦＭ光受信器測定システムであって、一定周波数の電気信号を発振して出力する第１発振器１１と、第１発振器が出力する電気信号の周波数と異なる一定周波数の電気信号を発振して出力する第２発振器１２と、第１発振器１１から出力される電気信号１２０を光信号１２２に変換して出力する第１電気光信号変換器１１１と、第２発振器１２から出力される電気信号１２１を光信号１２３に変換して出力する第２電気光信号変換器１１２と、第１電気光信号変換器１１１又は第２電気光信号変換器１１２のいずれか一方を少なくとも１回ずつ選択して動作させる信号変換選択手段１１５と、第１電気光信号変換器１１１及び第２電気光信号変換器１１２から出力される光信号１２２、１２３を合波して被測定ＦＭ光受信器１１４に向けて出力する光合波器１１３と、被測定ＦＭ光受信器１１４から出力される電気信号１２５の振幅又は遅延量を測定する波形測定器としてのオシロスコープ１６と、を有する。
【００７１】
ここで、第１発振器１１、第２発振器１２及びオシロスコープ１６は第１実施形態（図１）で説明したものと同様であるため、説明は省略する。また、第１電気光信号変換器１１１、第２電気光信号変換器１１２及び被測定ＦＭ光受信器１１４は、第２実施形態（図５）で説明したものと同様であるため、説明は省略する。また、光合波器１１３は第３実施形態（図８）で説明したものと同様であるため、説明は省略し、信号変換選択手段１１５について説明する。また、本実施形態においてもＦＭ光受信器測定システム４の測定原理は第１実施形態で説明した測定原理（図１３、図１４、図１５、図１６）を適用するため、説明は省略する。本実施形態に係るＦＭ光受信器測定システム４は、第１発振器１１、１２から出力される電気信号１２０、１２１を第１電気光信号変換器１１１、第２電気光信号変換器１１２によって光信号１２２、１２３に変換する。第１発振器１１、１２から出力される電気信号を早い段階で光信号に変換することで電気的雑音の影響を少なくすることができる。そのため、精度よく被測定ＦＭ光受信器１１４の特性を測定することができる。
【００７２】
信号変換選択手段１１５は、第１電気光信号変換器１１１又は第２電気光信号変換器１１２のいずれか一方を少なくとも１回ずつ選択して動作させる手段である。動作の選択は、例えば、第１電気光信号変換器１１１及び第２電気光信号変換器１１２の作動電圧のＯＮ／ＯＦＦをディップスイッチやトグルスイッチ等のスイッチによって手動で行うこととしてもよいし、電子制御によって自動で行うこととしてもよい。ここで、図１０に、電気光信号変換器の動作選択を自動で行う実施形態を示した概略構成図を示す。なお、図１０は、図９に示す第１電気光信号変換器１１１、第２電気光信号変換器１１２及び信号変換選択手段１１５の部分を抜き出して記載してある。図１０に示す信号変換選択手段１１５は、電気信号１２０の一定周波数及び電気信号１２１の一定周波数よりも低い周波数の電気信号１２７を発振して出力する第３発振器１１６と、第３発振器１１６が出力する電気信号１２７を正相と逆相のパルス１２８、１２９に変換して一方を第１電気光信号変換器１１１に向けて出力し、他方を第２電気光信号変換器１１２に向けて出力する切替回路１１７と、を備える。また、第１電気光信号変換器１１１及び第２電気光信号変換器１１２は、切替回路１１７から出力されるパルスが一定値以上のときに動作し、一定値未満のときに停止する構成とする。ここで、第３発振器１１６は、図３に示す信号出力手段の実施形態で説明した第３発振器と同様であるため説明は省略する。
【００７３】
切替回路１１７は、第３発振器１１６が出力する電気信号１２７を正相と逆相のパルス１２８、１２９に変換する。例えば、第３発振器１１６が出力する電気信号１２７を一方のパルス１２８とし、第３発振器１１６が出力する電気信号１２７をＮＯＴ回路に入力して出力される電気信号を他方のパルス１２９とすることで実現することができる。このようにすることで、互いに半波長ずれたパルス１２８、１２９を得ることができる。
【００７４】
ここで、図１１に、第１電気光信号変換器１１１が、切替回路１１７から出力されるパルスが一定値以上のときに動作し、一定値未満のときに停止する場合の構成例を示す。なお、図１１には、図１０に示す第１電気光信号変換器１１１の部分のみを抜き出して記載してある。また、図１０に示す第２電気光信号変換器１１２も図１１に示す第１電気光信号変換器１１１の構成と同様の構成とすることができる。第１電気光信号変換器１１１は、例えば、レーザーダイオード１３３と、レーザーダイオード１３３に電流を供給する電源１３２と、レーザーダイオード１３３に電流を供給するための抵抗１３１と、パルス１２８のバイアス電圧用電源１３０と、を備える構成とすることができる。
【００７５】
パルス１２８を第１電気光信号変換器１１１に入力すると、バイアス電圧用電源１３０による正のバイアスとパルス１２８とが加算された信号電圧がレーザーダイオード１３３に印加される。そのため、パルス１２８が一定値以上のときレーザーダイオード１３３を発光させ、一定値未満のときレーザーダイオード１３３を消灯させることができる。バイアス電圧用電源１３０の電圧値は、レーザーダイオード１３３の例えば電流−出力光特性に基づいて適宜定めることとする。ここで、電気信号１２０を第１電気光信号変換器１１１に入力すると、バイアスされたパルス１２８に電気信号１２０を重畳させることができる。そのため、パルス１２８が一定値以上のとき電気信号１２０を光信号１２２に変換し、一定値未満のとき変換停止させることができる。ここで、第１電気光信号変換器１１１と第２電気光信号変換器１１２とを図１１に示す構成とし、第１電気光信号変換器１１１にパルス１２８を入力し、第２電気光信号変換器１１２にパルス１２９を入力する。パルス１２８とパルス１２９とを互いに半波長ずらすと第１電気光信号変換器１１１と第２電気光信号変換器１１２とを交互に動作させることができる。
【００７６】
また、外部変調器を用いることで第１電気光信号変換器１１１を実現することもできる。図１２に外部変調器を用いた第１電気光信号変換器１１１の構成例を示す。なお、図１２には、図１０に示す第１電気光信号変換器１１１の部分のみを抜き出して記載してある。また、第２電気光信号変換器１１２も図１２に示す第１電気光信号変換器１１１の構成と同様の構成とすることができる。図１２に示す第１電気光信号変換器１１１は、例えば、レーザーダイオード１３３と、レーザーダイオード１３３に電流を供給する電源１３２と、レーザーダイオード１３３に電流を供給するための抵抗１３１と、パルス１２８のバイアス電圧用電源１３０と、レーザーダイオード１３３からの光を強度変調する外部変調器１３５と、を備える構成とすることができる。
【００７７】
パルス１２８を第１電気光信号変換器１１１に入力すると、バイアス電圧用電源１３０による正のバイアスとパルス１２８とが加算された信号電圧がレーザーダイオード１３３に印加される。そのため、パルス１２８が一定値以上のときレーザーダイオード１３３を発光させ、一定値未満のときレーザーダイオード１３３を消灯させることができる。バイアス電圧用電源１３０の電圧値は、レーザーダイオード１３３の電流−出力光特性に基づいて適宜定めることとする。ここで、外部変調器１３５に電気信号１２０を入力し、レーザーダイオード１３３からの光１３４を電気信号１２０に基づいて強度変調すると、パルス１２８が一定値以上のとき電気信号１２０を光信号１２２に変換し、一定値未満のとき変換停止させることができる。ここで、第１電気光信号変換器１１１と第２電気光信号変換器１１２とを図１２に示す構成とし、第１電気光信号変換器１１１にパルス１２８を入力し、第２電気光信号変換器１１２にパルス１２９を入力する。パルス１２８とパルス１２９とを互いに半波長ずらすと第１電気光信号変換器１１１と第２電気光信号変換器１１２とを交互に動作させることができる。
【００７８】
ここで、図９に示すＦＭ光受信器の測定方法について図９、図１０を参照して説明する。ＦＭ光受信器測定システム４に被測定ＦＭ光受信器１１４をセットした後に、まず、一定周波数の電気信号１２０、１２１を第１発振器１１及び第２発振器１２のそれぞれから発振して出力する。第１発振器１１と第２発振器１２はそれぞれの発振周波数の差周波数を一定に維持してそれぞれの発振周波数を掃引する。次に、第１発振器１１から出力される電気信号１２０を光信号１２２に変換する第１電気光信号変換器１１１又は第２発振器１２から出力される電気信号１２１を光信号１２３に変換する第２電気光信号変換器１１２の動作を少なくとも１回ずつ選択する。このように、第１発振器１１、１２から出力される電気信号１２０、１２１を早い段階で光信号に変換することで電気的雑音の影響を少なくすることができる。そのため、精度良く被測定ＦＭ光受信器１１４の特性を測定することができる。
【００７９】
次に、第１電気光信号変換器１１１及び第２電気光信号変換器１１２のうち選択された方から出力された光信号１２２又は光信号１２３を被測定ＦＭ光受信器１１４に向けて出力する。第１電気光信号変換器１１１及び第２電気光信号変換器１１２の動作の選択に合わせて被測定ＦＭ光受信器１１４から出力される電気信号１２５の振幅又は遅延量を波形測定器としてのオシロスコープ１６によって測定する。ここで、第１電気光信号変換器１１１及び第２電気光信号変換器１１２の動作の選択を図１０に示す第３発振器１１６が出力する電気信号１２７に同期して行うことによって、特性の測定の自動化が図れる。オシロスコープ１６を第１発振器１１と第２発振器１２の掃引周波数に合わせて、時間軸で掃引すると、時間軸に代えて周波数軸として測定することができる。掃引する周波数を電圧に変換した信号でオシロスコープ１６を掃引すると、直接、周波数軸として測定することができる。
【図面の簡単な説明】
【００８０】
【図１】第１実施形態に係るＦＭ受信器測定システムの概略構成図である。
【図２】掃引信号の一例を示した図である。
【図３】信号出力手段の他の実施形態を示す概略構成図である。
【図４】信号出力手段の他の実施形態を示す概略構成図である。
【図５】第２実施形態に係るＦＭ光受信器測定システムの概略構成図である。
【図６】第３実施形態に係るＦＭ光受信器測定システムの概略構成図である。
【図７】光信号出力手段の他の実施形態を示す概略構成図である。
【図８】光信号出力手段の他の実施形態を示す概略構成図である。
【図９】第４実施形態に係るＦＭ光受信器測定システムの概略構成図である。
【図１０】電気光信号変換器の動作選択を自動で行う実施形態を示した概略構成図である。
【図１１】電気光信号変換器が、切替回路から出力されるパルスが一定値以上のときに動作し、一定値未満のときに停止する場合の電気光信号変換器の構成の一例を示した図である。
【図１２】外部変調器を用いた電気光信号変換器の構成の一例を示した図である。
【図１３】被測定ＦＭ受信器の周波数特性の概略図である。
【図１４】被測定ＦＭ受信器への入力電気信号と、被測定ＦＭ受信器からの出力電気信号の概略図である。（ａ）は、入力信号の波形を示し、（ｂ）は、出力信号の波形を示す。
【図１５】被測定ＦＭ受信器の周波数特性の概略図である。
【図１６】被測定ＦＭ受信器への入力電気信号と、被測定ＦＭ受信器からの出力電気信号の概略図を示す。（ａ）は、入力信号の波形を示し、（ｂ）は、出力信号の波形を示す。
【図１７】ＦＭ受信器の非直線ひずみを測定する従来の測定システムの概略構成図である。
【図１８】ＦＭ受信器の遅延ひずみを測定する従来の測定システムの概略構成図である。
【符号の説明】
【００８１】
１  ＦＭ受信器測定システム
２、３、４  ＦＭ光受信器測定システム
１１  第１発振器
１２  第２発振器
１３、２３、４５、７７  第３発振器
１４  切替器
１５  ＦＭ受信器
１６  オシロスコープ
２４  第１電気スイッチ
２５  第２電気スイッチ
２８、２９  波形
３０、４０  信号出力手段
３１、３２、３３、３４  遅延量
３５、３６、３７、３８  周波数
４１  ＦＭ光受信器
４３、４４、４９  電気光信号変換器
４６  光切替器
４７  ＦＭ光受信器
４８  遅延量差
５０、５１、５２、５３、５６、５７、５８  電気信号
５４  レンジ
６１  横軸電極
６２  縦軸電極
６３  対極電極
６４  対極電極
６５  掃引信号
７０、７１、７２、７５、８０、８１、８５、８６、８７、８８    電気信号
７３、８２、８３、８４  光信号
７６  第１光スイッチ
７８  第２光スイッチ
７９  光合波器
９０  光信号出力手段
９１、９２  振幅
９３  振幅差
９４、９５  周波数
９７  周波数差
９８、９９  波形
１０１、１０２  変調信号用発振器
１０３、１０４  ＦＭ送信器
１０５  混合器
１０６、１０８  帯域濾波器
１０７  被測定ＦＭ受信器
１０９  波長検波器
１１０  低域濾波器
１１１  第１電気光信号変換器
１１２  第２電気光信号変換器
１１３  光合波器
１１４  ＦＭ光受信器
１１５  信号変換選択手段
１１６  第３発振器
１１７  切替回路
１２０、１２１、１２４、１２５  電気信号
１２２、１２３  光信号
１２８、１２９  パルス
１３０  バイアス電圧用電源
１３１  抵抗
１３２  電源
１３３  レーザーダイオード
１３５  外部変調器
２００、３００  従来のＦＭ受信器測定システム
２７１、２７２  波形
２０９  位相検波器
３０１  変調信号
３０２  掃引信号
３０３、３０４、３０５、３０６、３０７、
３０８、３０９、３１０、３１１、３１２  電気信号
９６１、９６２  波形
【図１】
2005260617.tif 000003
【図２】
2005260617.tif 000004
【図３】
2005260617.tif 000005
【図４】
2005260617.tif 000006
【図５】
2005260617.tif 000007
【図６】
2005260617.tif 000008
【図７】
2005260617.tif 000009
【図８】
2005260617.tif 000010
【図９】
2005260617.tif 000011
【図１０】
2005260617.tif 000012
【図１１】
2005260617.tif 000013
【図１２】
2005260617.tif 000014
【図１３】
2005260617.tif 000015
【図１４】
2005260617.tif 000016
【図１５】
2005260617.tif 000017
【図１６】
2005260617.tif 000018
【図１７】
2005260617.tif 000019
【図１８】
2005260617.tif 000020